(57)【要約】【課題】  実装ツールにて電子部品を反りの無い状態で吸着でき、そのままの状態で基板に実装することで、電子部品の突起電極と基板電極を高い信頼性をもって接合することができる電子部品実装方法及び装置を提供する。【解決手段】  複数の突起電極４を有する電子部品２の突起電極形成面２ａを移載ツール１１にて上方から保持する工程と、移載ツール１１を上下反転して移載位置に位置決めする工程と、移載位置で電子部品２を移載ツール１１から実装ツール１５に受け渡して実装ツール１５で吸着する工程と、実装ツール１５にて電子部品２を吸着した状態で電子部品２の突起電極４を基板３上に形成された基板電極３ａに接合する工程とを備えた電子部品実装方法であって、電子部品２を実装ツール１５に受け渡す工程において電子部品２の平面度を規制するフラット化工程を有する。【選択図】      図３
2006135019.tif 000002
【特許請求の範囲】
【請求項１】
複数の突起電極を有する電子部品の突起電極形成面を移載ツールにて上方から保持する工程と、移載ツールを上下反転して移載位置に位置決めする工程と、移載位置で電子部品を移載ツールから実装ツールに受け渡して実装ツールで吸着する工程と、実装ツールにて電子部品を吸着した状態で電子部品の突起電極を基板上に形成された基板電極に接合する工程とを備えた電子部品実装方法であって、電子部品を実装ツールに受け渡す工程において電子部品の平面度を規制するフラット化工程を有することを特徴とする電子部品実装方法。
【請求項２】
フラット化工程においては移載ツールと実装ツールの間に押付力を作用させ、その後実装ツールにて電子部品を吸着することを特徴とする請求項１記載の電子部品実装方法。
【請求項３】
フラット化工程においては移載ツールを電子部品の突起電極形成面における突起電極以外の面に当接させた状態で移載ツールと実装ツールの間に押付力を作用させることを特徴とする請求項１又は２記載の電子部品実装方法。
【請求項４】
押付力を電子部品の種類に応じて変化させることを特徴とする請求項２又は３記載の電子部品実装方法。
【請求項５】
押圧力は、所定の押圧力に向けて漸次増加する制御を行って作用させることを特徴とする請求項２〜４の何れかに記載の電子部品実装方法。
【請求項６】
実装ツールにて電子部品を吸着した後、移載ツールと実装ツールの間に押圧力を作用させることを特徴とする請求項１〜５の何れかに記載の電子部品実装方法。
【請求項７】
複数の突起電極を有する電子部品の突起電極形成面を移載ツールにて上方から保持し、移載ツールを上下反転して移載位置に位置決めする移載手段と、移載位置で移載ツールから実装ツールにて電子部品を受け取って吸着し、実装ツールにて電子部品を吸着した状態で電子部品の突起電極を基板上に形成された基板電極に接合する実装手段とを備えた電子部品実装装置において、実装手段は、実装ツールにて電子部品を吸着して保持する吸着手段と実装ツールを下方に押し付ける押圧手段とを有し、かつ吸着手段にて電子部品を吸着する前に、押圧手段にて実装ツールを移載ツールに向けて押し付けるようにしたことを特徴とする電子部品実装装置。
【請求項８】
複数の突起電極を有する電子部品の突起電極形成面を移載ツールにて上方から保持し、移載ツールを上下反転して移載位置に位置決めする移載手段と、移載位置で移載ツールから実装ツールにて電子部品を受け取って吸着し、実装ツールにて電子部品を吸着した状態で電子部品の突起電極を基板上に形成された基板電極に接合する実装手段とを備えた電子部品実装装置において、移載手段は、電子部品の突起電極形成面における突起電極以外の面を吸着して保持する移載ツールを有し、実装手段は、実装ツールにて電子部品を吸着して保持する吸着手段と実装ツールを下方に押し付ける押圧手段とを有することを特徴とする電子部品実装装置。
【請求項９】
複数の突起電極を有する電子部品の突起電極形成面を移載ツールにて上方から保持し、移載ツールを上下反転して移載位置に位置決めする移載手段と、移載位置で移載ツールから実装ツールにて電子部品を受け取って吸着し、実装ツールにて電子部品を吸着した状態で電子部品の突起電極を基板上に形成された基板電極に接合する実装手段とを備えた電子部品実装装置において、移載手段は、電子部品の突起電極形成面における突起電極以外の面を吸着して保持する移載ツールを有し、実装手段は、実装ツールにて電子部品を吸着して保持する吸着手段と実装ツールを下方に押し付ける押圧手段とを有し、かつ吸着手段にて電子部品を吸着する前に、押圧手段にて実装ツールを移載ツールに向けて押し付けるようにしたことを特徴とする電子部品実装装置。
【請求項１０】
実装手段は実装ツールの押付力を制御する荷重制御手段を備えていることを特徴とする請求項７〜９の何れかに記載の電子部品実装装置。
【請求項１１】
荷重制御手段は、電子部品の種類に応じて押付力を変化させることを特徴とする請求項１０記載の電子部品実装装置。
【請求項１２】
荷重制御手段は、所定の押圧力に向けて押圧力を漸次増加する制御を行うことを特徴とする請求項１０記載の電子部品実装装置。
【請求項１３】
押圧手段は、実装ツールにて電子部品を吸着した後に、再び移載ツールと実装ツールの間に押圧力を作用させることを特徴とする請求項７〜９の何れかに記載の電子部品実装装置。
【発明の詳細な説明】
【技術分野】
【０００１】
本発明は、複数の突起電極を有する薄型の電子部品を実装ヘッドにて保持して実装ステージ上に保持された基板にフリップチップ実装する電子部品実装方法及び装置に関するものである。
【背景技術】
【０００２】
ノートパソコンや携帯電話機などの携帯情報機器の軽量化、薄型化、高機能化の著しい進展は高密度集積化技術によって支えられている。高密度集積化の進展は、電子部品（ＩＣチップなど）の大型化と薄型化、外部接続端子である突起電極の微小化と数の増加と配列間隔の微細化を進展させている。このような電子部品を基板上に形成された基板電極に短絡や接続不良を発生させることなく実装する代表的工法としてはフリップチップ実装工法が知られている。
【０００３】
従来のフリップチップ実装工法の一例を、図６を参照して説明する。先ず、図６（ａ）に示すように、部品供給部３１において、電子部品３２がその突起電極３３を設けた面を上向きにして供給されており、この電子部品３２を移載ツール３４にて上方から吸着保持する。次に、図６（ｂ）に示すように、所定の移載位置に移載ツール３４を移動させて位置決めするとともに上下反転する。次に、図６（ｃ）に示すように、実装ツール３５を移載位置に移動させて突起電極３３が下向きの電子部品３２の上面上に対向させ、次いで、図６（ｄ）に示すように、実装ツール３５を下降させて電子部品３２の上面に当接させる。次に、その状態で移載ツール３４による吸引を停止した後僅かにブローすることで電子部品３２の吸着を解除するとともに、実装ツール３５にて強く吸引して電子部品３２を吸着し、その後、図６（ｅ）に示すように、電子部品３２を吸着した実装ツール３５を上昇させて実装位置に移動させる。次に、図６（ｆ）に示すように、実装ステージ３６上に保持された基板３７の基板電極３８上に電子部品３２の突起電極３３が当接するように実装ツール３５を位置決めし、実装ツール３５にて電子部品３２を吸着保持した状態で電子部品３２を介して突起電極３３と基板電極３８の接合面に熱エネルギーや超音波振動エネルギーなどの接合エネルギーを付与し、突起電極３３を基板電極３８に接合させる。その後、実装ツール３５による電子部品３２の吸着を解除して実装ツール３５を上昇させることにより、基板３７に対して電子部品３２が実装される。
【０００４】
なお、大型の電子部品の中央部を実装ツールにて保持した状態で電子部品に荷重を負荷して電子部品を基板に仮固定し、その後突起電極をリフローさせることで電子部品を基板に実装するフリップチップ実装において、電子部品の中央部に突起電極が配設されている場合には、仮固定時に電子部品の中央部が下方に反ってその分中央部の突起電極が潰れ変形し、その後荷重を解除するとその突起電極と基板との間に隙間が生じ、その状態でリフローを行うと接合不良を生じる恐れがあるため、中央部の突起電極を高い形状とする技術が知られている（例えば、特許文献１参照。）。
【０００５】
また、電子部品のプリント基板への実装時に、基板の反りを矯正した状態で電子部品を実装するため、実装ヘッド側にスプリングにて突出付勢された押圧具を設け、実装動作時に実装ヘッドを下降させると押圧具にて基板が押圧され、基板が実装ステージの表面によって平面矯正されるようにした技術が知られている（例えば、特許文献２参照。）。
【特許文献１】特開平２−１０５４２０号公報
【特許文献２】特開平６−３２６４９９号公報
【発明の開示】
【発明が解決しようとする課題】
【０００６】
ところで、近年は、電子部品の薄型化が一層進展しており、従来は５×７ｍｍ、１０ｍｍ角、１５ｍｍ角などの大きさの電子部品において、薄いものでも厚さが１００〜２００μｍであったのに対して、厚さが４０〜１５０μｍのものが出現してきている。このような電子部品３２を、移載ツール３４で吸着保持して上下反転した後、実装ツール３５に受け渡し、実装ツール３５で吸着保持して基板３７に実装した場合、実装ツール３５で電子部品３２を吸着した状態で、図７（ａ）、（ｂ）に示すように、実装ツール３５の吸着穴や吸着溝の部分での吸着力の作用で電子部品３２に反りが発生し、その状態で基板３７に実装すると、電子部品３２の反りのために複数の突起電極３３と基板電極３８の間で接触状態にばらつきが発生し、そのまま突起電極３３と基板電極３８を接合した場合、接合状態にばらつきが発生し、接合信頼性が確保できないという問題があった。
【０００７】
この問題に対して、上記特許文献１に開示された技術を適用し、電子部品の吸着保持時の反りを推定して突起電極の高さを異ならせて反りを相殺することは、実際上不可能であって実用的でない。
【０００８】
また、上記特許文献２に開示された技術に準じて、実装時に実装ツールを回路基板に向けてより強く押圧することによって電子部品の反りを矯正して実装する方法も考えられるが、電子部品を吸着した状態でその反りを矯正する程の大きな押圧力を作用させると、突起電極が押し潰されてしまい、接合不良や突起電極間や基板電極との間で短絡を生じる恐れがあるなどの問題が発生する。また、回路パターンがナノオーダーまで精細化するのに伴って層間絶縁膜に強度の小さい低誘電率の物質が用いられる場合があるが、その場合には大きな荷重が負荷されると亀裂が発生して電子部品が破損する恐れがあるという問題もある。
【０００９】
本発明は、上記従来の課題を解決するもので、実装ツールにて電子部品を反りの無い状態で吸着でき、そのままの状態で基板に実装することで、電子部品の突起電極と基板電極を高い信頼性をもって接合することができる電子部品実装方法及び装置を提供することを目的とする。
【課題を解決するための手段】
【００１０】
本発明の電子部品実装方法は、複数の突起電極を有する電子部品の突起電極形成面を移載ツールにて上方から保持する工程と、移載ツールを上下反転して移載位置に位置決めする工程と、移載位置で電子部品を移載ツールから実装ツールに受け渡して実装ツールで吸着する工程と、実装ツールにて電子部品を吸着した状態で電子部品の突起電極を基板上に形成された基板電極に接合する工程とを備えた電子部品実装方法であって、電子部品を実装ツールに受け渡す工程において電子部品の平面度を規制するフラット化工程を有するものである。
【００１１】
実装ツールにて薄型の電子部品を単純に吸着した場合には電子部品に反りを生じるため、その対策として電子部品を基板に実装する際に実装ツールにて電子部品を押圧し、電子部品の反りを矯正しつつ実装することが考えられるが、その場合電子部品はその位置精度を確保するため実装ツールにて吸着されて拘束されているため、大きな押圧力を作用させる必要があり、そのため薄型の電子部品に対応した微小な突起電極に潰れを発生したり、低誘電率物質を用いた電子部品にクラックが発生したりする恐れがあるが、この構成によれば、電子部品を実装ツールに受け渡す工程で電子部品の平面度を規制するので、電子部品は実装ツールに反りの無い状態で吸着され、その状態で実装ツールにて電子部品の突起電極を基板電極に接合することができ、電子部品の突起電極と基板電極を高い信頼性をもって接合することができる。
【００１２】
また、フラット化工程においては、移載ツールと実装ツールの間に押付力を作用させ、その後実装ツールにて電子部品を吸着すると、移載ツールと実装ツールの間で電子部品を挟圧して平面度を規制した後その状態で吸着することで、吸着状態での電子部品の平面度を確実に維持することができ、信頼性の高い接合を確保することができる。
【００１３】
また、フラット化工程においては、移載ツールを電子部品の突起電極形成面における突起電極以外の面に当接させた状態で移載ツールと実装ツールの間に押付力を作用させることで、押付力が突起電極に加わることがなく、微小な突起電極であっても潰れ変形が生じる恐れを解消することができ、信頼性の高い接合を確保することができる。
【００１４】
また、押付力を電子部品の種類に応じて変化させることで、電子部品の種類に応じた適切な押付力を作用させ、電子部品にダメージを与えることなく、確実にその平面度を規制して信頼性の高い接合を確保することができる。
【００１５】
また、押圧力を、所定の押圧力に向けて漸次増加する制御を行って作用させると、電子部品に衝撃的に押付力が作用することで電子部品を損傷する恐れを確実に防止することができる。
【００１６】
また、実装ツールにて電子部品を吸着した後、移載ツールと実装ツールの間に押圧力を作用させると、吸着後に再度押付力を作用させることでより確実に平面度を高めることができ、一層信頼性の高い接合を確保することができる。
【００１７】
また、本発明の電子部品実装装置は、複数の突起電極を有する電子部品の突起電極形成面を移載ツールにて上方から保持し、移載ツールを上下反転して移載位置に位置決めする移載手段と、移載位置で移載ツールから実装ツールにて電子部品を受け取って吸着し、実装ツールにて電子部品を吸着した状態で電子部品の突起電極を基板上に形成された基板電極に接合する実装手段とを備えた電子部品実装装置において、実装手段は、実装ツールにて電子部品を吸着して保持する吸着手段と実装ツールを下方に押し付ける押圧手段とを有し、かつ吸着手段にて電子部品を吸着する前に、押圧手段にて実装ツールを移載ツールに向けて押し付けるようにしたものであり、電子部品を実装ツールにて吸着する前に、移載ツールと実装ツールの間に押付力を作用させることにより、移載ツールと実装ツールの間で電子部品を挟圧して平面度を規制した後その状態で吸着するため、吸着状態での電子部品の平面度を確実に維持することができ、その状態で実装ツールにて電子部品の突起電極を基板電極に接合するので、電子部品の突起電極と基板電極を高い信頼性をもって接合することができる。
【００１８】
また、移載手段は、電子部品の突起電極形成面における突起電極以外の面を吸着して保持する移載ツールを有し、実装手段は、実装ツールにて電子部品を吸着して保持する吸着手段と実装ツールを下方に押し付ける押圧手段とを有する構成としても、移載ツールを電子部品の突起電極形成面における突起電極以外の面に当接させた状態で移載ツールと実装ツールの間に押付力を作用させることで、押付力が突起電極に加わることがなく、微小な突起電極であっても潰れ変形が生じる恐れを解消することができ、信頼性の高い接合を確保することができる。
【００１９】
また、移載手段は、電子部品の突起電極形成面における突起電極以外の面を吸着して保持する移載ツールを有し、実装手段は、実装ツールにて電子部品を吸着して保持する吸着手段と実装ツールを下方に押し付ける押圧手段とを有し、かつ吸着手段にて電子部品を吸着する前に、押圧手段にて実装ツールを移載ツールに向けて押し付ける構成とすると、押付力が突起電極に加わらないように移載ツールと実装ツールの間に押付力を作用させることで、微小な突起電極であっても潰れ変形が生じる恐れなく移載ツールと実装ツールの間で電子部品を挟圧して平面度を規制でき、その後吸着することで吸着状態での電子部品の平面度を確実に維持することができ、その状態で実装ツールにて電子部品の突起電極を基板電極に接合するので、電子部品の突起電極と基板電極を高い信頼性をもって接合することができる。
【００２０】
また、実装手段が実装ツールの押付力を制御する荷重制御手段を備えていると、電子部品の損傷を防止しつつ平面度を確実に規制できるように、電子部品に作用させる押付力を適切に調整することができる。
【００２１】
また、荷重制御手段が、電子部品の種類に応じて押付力を変化させると、電子部品の種類に応じた適切な押付力を作用させ、電子部品にダメージを与えることなく、確実にその平面度を規制して信頼性の高い接合を確保することができる。
【００２２】
また、荷重制御手段が、所定の押圧力に向けて押圧力を漸次増加する制御を行うと、電子部品に衝撃的に押付力が作用することで電子部品を損傷する恐れを確実に防止することができる。
【００２３】
また、押圧手段が、実装ツールにて電子部品を吸着した後に、再び移載ツールと実装ツールの間に押圧力を作用させる、吸着後に再度押付力を作用させることでより確実に平面度を高めることができ、一層信頼性の高い接合を確保することができる。
【発明の効果】
【００２４】
本発明の電子部品実装方法及び装置によれば、電子部品を実装ツールに受け渡す工程で電子部品の平面度を規制するので、電子部品は実装ツールに反りの無い状態で吸着され、その状態で実装ツールにて電子部品の突起電極を基板電極に接合することができ、電子部品の突起電極と基板電極を高い信頼性をもって接合することができる。
【発明を実施するための最良の形態】
【００２５】
以下、本発明の電子部品実装方法及び装置の一実施形態について、図１〜図３を参照しながら説明する。尚、電子部品を実装する対象物を基板としているが、それは回路基板だけでなく、ＩＣチップ上にＩＣチップを実装するチップオンチップの場合では実装対象となるＩＣチップを基板とする。
【００２６】
本実施形態の電子部品実装装置１は、ベアＩＣチップなどの電子部品２を基板３に実装するものである。電子部品２は基板３に対する接続面である突起電極形成面２ａに複数の突起電極４が設けられている。電子部品実装装置１は、本体部５とその前側に配設された部品供給装置６を備えており、部品供給装置６は本体部５に交換可能に結合されるユニットとして構成されている。部品供給装置６は、多数の電子部品２が配列して形成されるとともに個片にダイシングされた状態でエキスパンドシート上に支持されている半導体ウエハ７を本体部５内の部品供給部８に供給する。半導体ウエハ７の各電子部品２は、その突起電極形成面２ａが上向きとなっており、その状態で部品供給部８に供給される。
【００２７】
半導体ウエハ７を支持する部品供給部８は、本体部５の前部に配設され、左右方向のＸ方向に移動可能にかつ上下移動可能に支持され、かつ部品供給装置６から部品供給部８上に半導体ウエハ７を導入するウエハ引き出し手段（図示せず）が設けられている。部品供給部８は、半導体ウエハ７のエキスパンドシートを拡張させて各電子部品２を間隔をあけて分離させ、さらに所望の電子部品２を所定のＸ方向位置に位置決めする。９は部品供給部８上でＸ方向の所定位置に位置決めされた電子部品２の内、Ｙ方向の任意位置の電子部品２を認識する認識カメラであり、Ｙ方向に移動可能に構成されている。
【００２８】
本体部５の前部から中間部の間には反転移載手段１０が配設されている。反転移載手段１０は、部品供給部８にて所定のＸ方向位置に位置決めされた半導体ウエハ７のＹ方向に任意位置の電子部品２の突起電極形成面２ａを移載ツール１１にて上から吸着し、Ｙ方向後方の移載位置Ａまで移動し、上下方向に１８０度反転し、電子部品２をその突起電極形成面２ａを下向きにして移載するように構成されている。
【００２９】
１２は実装手段であり、Ｙ方向テーブル１３にてＹ方向に移動及び位置決め可能な実装ヘッド１４を備え、この実装ヘッド１４の下端に設けられた実装ツール１５にて移載位置Ａで電子部品２を吸着し、Ｙ方向後方に移動して基板３上の所定の部品実装位置に移動し、電子部品２を基板３に実装する。
【００３０】
本体部５の後部には、基板３を支持してＸ方向に移動及び位置決めし、基板３における電子部品２を実装すべき位置を実装ツール１５によるＸ方向の実装位置に位置決めする基板位置決め手段１６が配設されている。基板３は、基板位置決め手段１６に対して図１（ｂ）に白抜き矢印で示すように、Ｘ方向に搬入・搬出される。
【００３１】
１７は、上側で実装ツール１５にて吸着された電子部品２を認識し、下側で基板３の電子部品２を実装すべき位置を認識する同時認識手段であり、実装ヘッド１４と基板３との間で、Ｘ方向に出退移動及びＹ方向の実装位置に移動可能に配設されている。
【００３２】
実装ヘッド１４は、図２に示すように、昇降押圧手段１８にて昇降駆動される上部昇降体１９と、上下移動自在に支持されるとともに、引張ばね２０にて上方に向けて付勢されて上部昇降体１９に当接するように配設された下部昇降体２１とを備え、下部昇降体２１の下端に電子部品２を加熱して接合エネルギーを供給するセラミックヒータ２２を介して実装ツール１５が装着されている。
【００３３】
上部昇降体１９と下部昇降体２１との間にはロードセル２３が介装され、昇降押圧手段１８にて実装ツール１５に押圧力を負荷する際にその荷重を検出するように構成されている。このロードセル２３の検出荷重に基づいて制御部（図示せず）にて昇降押圧手段１８が駆動制御される。２４は、接合後加熱された電子部品２に冷却風を吹き付けるブローノズルである。この制御部（図示せず）による昇降押圧手段１８の駆動制御は、電子部品２の種類に応じて押付力を変化させることで、電子部品２の種類毎に適切な押付力が作用するように、また所定の押圧力に向けて押圧力を漸次増加させることで衝撃的な荷重負荷によって電子部品２にダメージを与えないように制御される。
【００３４】
次に、以上の構成の電子部品実装装置１を用いて電子部品２を基板３に実装する実装動作と細部構成について、図３を参照して説明する。
【００３５】
まず、図３（ａ）に示すように、反転移載手段１０の移載ツール１１が部品供給部８に移動し、所要の電子部品２の突起電極形成面２ａを移載ツール１１にて吸着して電子部品２を保持する。移載ツール１１は、図示のように、突起電極形成面２ａにおける突起電極４以外の面に当接し、突起電極４には接触しないように形成されたものが用いられる。次に、移載ツール１１が移載位置Ａまで移動するとともに、図３（ｂ）に示すように、移載ツール１１が上下方向に１８０度反転し、電子部品２の突起電極形成面２ａが下向きにされる。それとほぼ同時に実装ツール１５が移載位置Ａの移載ツール１１の直上位置で電子部品２に対向するように位置決めされる。この時点では移載ツール１１の吸着力ａは維持されている。
【００３６】
次に、図３（ｃ）に示すように、実装ツール１５が移載ツール１１上の電子部品２の上面に当接する位置まで下降され、移載ツール１１の吸着力ａが解除され、引き続いて実装ツール１５が昇降押圧手段１８にて所定の押圧力で下方に向けて押圧され、電子部品２を間に挟んだ状態で実装ツール１５と移載ツール１１の間に押圧荷重ｂが負荷される。その際、移載ツール１１は電子部品２の突起電極形成面２ａにおける突起電極４以外の面に当接させているので、押圧力が突起電極４に加わることがなく、微小な突起電極４であっても潰れ変形が生じる恐れがない。また、この押圧時には、電子部品２の種類に応じてそれぞれに適切な押圧力を作用させることで、電子部品２に損傷を与える恐れなく電子部品２の平面度を確実に規制し、また所定の押圧力に向けて漸次増加するように制御を行うことによって、電子部品２に衝撃的に押付力が作用することで電子部品２が損傷する恐れを無くしている。
【００３７】
このように電子部品２を移載ツール１１から実装ツール１５に受け渡す工程で、移載ツール１１と実装ツール１５の間に押付力を作用させることで電子部品２の平面度を規制することができる。その後、図３（ｄ）に示すように、実装ツール１５により電子部品２を吸着し、吸着力ｃを作用させる。この状態では電子部品２はその平面度が規制され、反りの無い状態に拘束されているので、電子部品２は反りの無い状態のまま実装ツール１５に吸着され、さらにその後押圧荷重ｂを解除してもその状態が維持される。
【００３８】
次に、図３（ｅ）に示すように、実装ツール１５にて電子部品２を吸着した状態で実装ツール１５を上昇させて移載ツール１１から離間させた後、実装ツール１５を実装位置に向けて移動させる。そして、実装位置で、図３（ｆ）に示すように、電子部品２の突起電極４を基板３の基板電極３ａに接合する。かくして、電子部品２に反りの無い状態で電子部品２の突起電極４と基板電極３ａを接合することができ、薄型の電子部品２であっても高い信頼性をもって基板３に実装することができる。
【００３９】
以上の実施形態の説明では、移載ツール１１と実装ツール１５の間に押圧荷重を作用させて電子部品２をフラット化した後、実装ツール１５にて吸着してそのまま実装工程に移行する例を示したが、図４（ａ）に示すように、押圧荷重を作用させてフラット化し、次に図４（ｂ）に示すように、実装ツール１５にて電子部品２を吸着し、さらにその後図４（ｃ）に示すように、移載ツール１１と実装ツール１５の間に再度１回又は複数回繰り返して押圧荷重を作用させ、吸着時に生じたかもしれない電子部品２の僅かな反りをも解消して実装工程に移行するようにしても良い。そうすることで、薄型の電子部品２であっても一層高い信頼性をもって基板３に実装することができる。
【００４０】
また、上記実施形態では、移載ツール１１は、電子部品２の突起電極４以外の面を吸着するように、周縁部に突起電極４が設けられている電子部品２の中央の平面部を吸着するように構成した例を示したが、図５に示すように、移載ツール１１の先端面に電子部品２の外周縁に係合して電子部品２を受けるテーパ係合部１１ａを設け、その内側に電子部品２の一部が嵌合する凹部１１ｂを形成した構成のものを用いることもできる。
【００４１】
また、押圧荷重を付加して電子部品２をフラット化する際には実装ツール１５にて電子部品２を吸着せず、フラット化した後実装ツール１５にて吸着しているので、比較的小さな押圧力でフラット化することができ、そのため突起電極４がその程度の押圧力に耐えられる場合には、電子部品２の全面を吸着するような移載ツール１１を用いることができる。また、逆に電子部品２の耐圧荷重が突起電極４を除いて比較的大きく、かつ移載ツール１１が電子部品２の突起電極４以外の面に当接するように構成した場合には、移載ツール１１と実装ツール１５との間に押圧力を作用させて電子部品２のフラット化を行うと同時に実装ツール１５にて電子部品２を吸着するようにすることもできる。
【産業上の利用可能性】
【００４２】
本発明の電子部品実装方法及び装置によれば、電子部品を実装ツールに受け渡す工程で電子部品の平面度を規制することで、電子部品を反りの無い状態で実装ツールにて吸着して基板に実装することができるため、各種電子部品の実装、特に実装ツールによる吸着で反りを発生する恐れのある薄型でかつ微小な突起電極を有する電子部品の実装に有効に利用できる。
【図面の簡単な説明】
【００４３】
【図１】本発明の電子部品実装装置の一実施形態を示し、（ａ）は全体斜視図、（ｂ）はその実装動作を説明する斜視図。
【図２】同実施形態における実装ヘッドの部分断面側面図。
【図３】同実施形態における実装動作工程を示す断面図。
【図４】同実施形態における他の移載工程を示す断面図。
【図５】同実施形態における他の移載ツールを用いた移載工程を示す断面図。
【図６】従来例における実装動作工程を示す断面図。
【図７】従来例の実装動作における問題点を示し、（ａ）は断面図、（ｂ）は斜視図。
【符号の説明】
【００４４】
１  電子部品実装装置
２  電子部品
２ａ  突起電極形成面
３  基板
３ａ  基板電極
４  突起電極
１０  反転移載手段
１１  移載ツール
１２  実装手段
１４  実装ヘッド
１５  実装ツール
１８  昇降押圧手段
２３  ロードセル
【図１】
2006135019.tif 000003
【図２】
2006135019.tif 000004
【図３】
2006135019.tif 000005
【図４】
2006135019.tif 000006
【図５】
2006135019.tif 000007
【図６】
2006135019.tif 000008
【図７】
2006135019.tif 000009